(57)【特許請求の範囲】
【請求項１】
複数の単槽を直列に連結した直列槽群が２列並置された槽と、熱源水を循環させる主管に接続される高温側ヘッダ配管および低温側ヘッダ配管と、高温側ヘッダ配管から各単槽の上部に分岐・配置される高温側分岐配管および高温側開口部と、低温側ヘッダ配管から各単槽の下部に分岐・配置される低温側分岐配管および低温側開口部とを備え、これらの分岐配管および開口部を介して槽内に熱源水が流入または流出する蓄熱槽であって、高温側ヘッダ配管および低温側ヘッダ配管が前記直列槽群内を貫通するとともに、それぞれのヘッダ配管の主管接続部から各分岐配管の開口部側端部に至る管路のうち、配管抵抗値が最大となる管路の配管抵抗値ΔＰｍａｘと配管抵抗値が最小となる管路の配管抵抗値ΔＰｍｉｎの比ΔＰｍｉｎ／ΔＰｍａｘが、前記高温側開口部および前記低温側開口部から熱源水を蓄熱時は均一に供給し、放熱時は均一に取り出しを行うことができる値であることを特徴とする蓄熱槽。
【請求項２】
各単槽の高温側および低温側の開口部として側面部が帯状に開口する同一形状の開口部部材を用い、各単槽の高温側および低温側の分岐配管として一端が前記開口部部材に接続され他端がヘッダ配管またはヘッダ配管分岐口に接続される同一形状の分岐配管を用いることを特徴とする請求項１に記載の蓄熱槽。
【請求項３】
高温側の開口部部材および分岐配管ならびに低温側の開口部部材および分岐配管が、支持手段を兼ねた連結部材を介してユニット化されていることを特徴とする請求項２に記載の蓄熱槽。
【請求項４】
各単槽の高温側および低温側の開口部として側面部が帯状に開口する同一形状の開口部部材を用い、各単槽の高温側および低温側の分岐配管として上端が前記高温側開口部部材に接続され下端が前記低温側開口部部材に接続されるとともに、上部水平端が高温側ヘッダ配管または高温側ヘッダ配管分岐口に接続され下部水平端が低温側ヘッダ配管または低温側ヘッダ配管分岐口に接続され、高温側の部分と低温側の部分が内部で仕切られた略π字状配管を用いることを特徴とする請求項１に記載の蓄熱槽。
【請求項５】
隣接する単槽間の水位差を調整する手段として、ヘッダ配管を貫通させた貫通口およびヘッダ配管から分岐する分岐配管を貫通させた貫通口を用いることを特徴とする請求項１、２、３または４に記載の蓄熱槽。
【請求項６】
請求項１ないし５のいずれか１項に記載の蓄熱槽を１組または複数組備えるとともに、負荷側と蓄熱槽側との熱交換を行う熱交換器と、主管および低温側ヘッダ配管および高温側ヘッダ配管および熱交換器を介して蓄熱槽内の熱源水を循環させる蓄放熱ポンプと、負荷側の空調負荷に応じて蓄放熱ポンプを運転させて蓄放熱制御を行う蓄放熱制御装置とを備えることを特徴とする蓄熱システム。
【発明の詳細な説明】
【０００１】
【発明の属する技術分野】
本発明は、空調用熱源水を貯留・供給する蓄熱槽および蓄熱システムに関する。
【０００２】
【従来の技術】
従来の地下二重スラブを利用した並列式蓄熱槽は、ヘッダ配管の位置によって内部並列式蓄熱槽と外部並列式蓄熱槽の２種に大別される。前者は、特公平７−８１７２７号公報に開示されているように、始端槽と終端槽を有する直列式蓄熱槽群を複数群並列に配置し、各群内の単槽間を、一端が高温側槽内の底面方向に、他端が低温側槽内の水面方向に開口するＳ字状連通管で連結し、始端槽内および終端槽内をそれぞれ貫通するヘッダ配管に設けられた単槽毎の開口部を介して熱源水を流入または流出させることにより複数群並列に蓄放熱を行うものである。一方、後者は、スラブ内空ピット等の蓄熱槽外部にヘッダ配管を配置し、ここから各単槽内に分岐・延長された分岐配管を介して熱源水を流入または流出させることにより複数槽並列に蓄放熱を行うものである。いずれも、熱源水の流入速度または流出速度を抑えて単槽内に温度成層を形成させ、高効率の蓄放熱を実現する蓄熱槽である。
【０００３】
【発明が解決しようとする課題】
しかしながら、従来の内部並列式蓄熱槽は、各直列式蓄熱槽群内の単槽間に必然的に水位差が生じるため、各群を構成する単槽数を多くすることはあまり好ましくない。一方、従来の外部並列式蓄熱槽は、内部並列式蓄熱槽と比較して多くの配管を必要とし、特に単槽数が多くなるにつれて蓄熱槽外部のヘッダ配管や各単槽内に分岐する分岐配管が増加するため、内部並列式蓄熱槽と同様に単槽数を多くすることは好ましくない。
【０００４】
さらに、従来の並列式蓄熱槽は、ヘッダ配管、分岐配管、連通管等の配管類が蓄熱槽全体にわたって分散する構造となるため、蓄熱槽築造段階の配管施工作業が煩雑であるという問題点もあった。
【０００５】
本発明は上記の事情を鑑みてなされたもので、並列式蓄熱槽において、蓄熱槽数に制限を設けることなく高効率の蓄放熱を行うことができ、かつ、配管類を集中的に配置することにより築造段階の配管施工作業の効率化を図ることができる蓄熱槽および蓄熱システムを提供することを目的とする。
【０００６】
【課題を解決するための手段】
上記目的を達成するために本発明は、複数の単槽を直列に連結した直列槽群が２列並置された槽と、熱源水を循環させる主管に接続される高温側ヘッダ配管および低温側ヘッダ配管と、高温側ヘッダ配管から各単槽の上部に分岐・配置される高温側分岐配管および高温側開口部と、低温側ヘッダ配管から各単槽の下部に分岐・配置される低温側分岐配管および低温側開口部とを備え、これらの分岐配管および開口部を介して槽内に熱源水が流入または流出する蓄熱槽であって、高温側ヘッダ配管および低温側ヘッダ配管が前記直列槽群内を貫通するとともに、それぞれのヘッダ配管の主管接続部から各分岐配管の開口部側端部に至る管路のうち、配管抵抗値が最大となる管路の配管抵抗値ΔＰｍａｘと配管抵抗値が最小となる管路の配管抵抗値ΔＰｍｉｎの比ΔＰｍｉｎ／ΔＰｍａｘが、前記高温側開口部および前記低温側開口部から熱源水を蓄熱時は均一に供給し、放熱時は均一に取り出しを行うことができる値であることを特徴とするものである。
【０００７】
また本発明は、前記蓄熱槽において、各単槽の高温側および低温側の開口部として側面部が帯状に開口する同一形状の開口部部材を用い、各単槽の高温側および低温側の分岐配管として一端が前記開口部部材に接続され他端がヘッダ配管またはヘッダ配管分岐口に接続される同一形状の分岐配管を用いることを特徴とするものである。
【０００８】
また本発明は、前記蓄熱槽において、高温側の開口部部材および分岐配管ならびに低温側の開口部部材および分岐配管が、支持手段を兼ねた連結部材を介してユニット化されていることを特徴とするものである。
【０００９】
また本発明は、前記蓄熱槽において、各単槽の高温側および低温側の開口部として側面部が帯状に開口する同一形状の開口部部材を用い、各単槽の高温側および低温側の分岐配管として上端が前記高温側開口部部材に接続され下端が前記低温側開口部部材に接続されるとともに、上部水平端が高温側ヘッダ配管または高温側ヘッダ配管分岐口に接続され下部水平端が低温側ヘッダ配管または低温側ヘッダ配管分岐口に接続され、高温側の部分と低温側の部分が内部で仕切られた略π字状配管を用いることを特徴とするものである。
【００１０】
また本発明は、前記蓄熱槽において、隣接する単槽間の水位差を調整する手段として、ヘッダ配管を貫通させた貫通口およびヘッダ配管から分岐する分岐配管を貫通させた貫通口を用いることを特徴とするものである。
【００１１】
また本発明の蓄熱システムは、前記蓄熱槽を１組または複数組備えるとともに、負荷側と蓄熱槽側との熱交換を行う熱交換器と、主管および低温側ヘッダ配管および高温側ヘッダ配管および熱交換器を介して蓄熱槽内の熱源水を循環させる蓄放熱ポンプと、負荷側の空調負荷に応じて蓄放熱ポンプを運転させて蓄放熱制御を行う蓄放熱制御装置とを備えることを特徴とするものである。
【００１２】
【発明の実施の形態】
以下図面を参照して本発明の実施形態例を詳細に説明する。
【００１３】
図１は本発明の実施形態例を示す透視図である。地下二重スラブ内の略同じ大きさの蓄熱槽単槽１１を複数直列に連結した直列蓄熱槽群が２列並列に配置された多槽並列型蓄熱槽を対象として、一方の列の直列蓄熱槽群には熱源水の往き還りの主管に接続された低温側ヘッダ配管１２が各蓄熱槽単槽１１を蓄熱槽直列方向に貫通して設けられ、前記低温側ヘッダ配管１２の上方近傍には熱源水の往き還りの主管に接続された高温側ヘッダ配管１３が各蓄熱槽単槽１１を蓄熱槽直列方向に貫通して設けられる。前記低温側ヘッダ配管１２には、各蓄熱槽単槽１１内に略直角に突出して、低温側ヘッダ配管１２より口径が小さい同じ口径で、かつ同じ長さの水平低温側分岐配管１４が分岐・配置されて設けられる。前記高温側ヘッダ配管１３には、各蓄熱槽単槽１１内に略直角に突出して、高温側ヘッダ配管１３より口径が小さい同じ口径で、かつ同じ長さの水平高温側分岐配管１５が分岐・配置されて設けられる。前記各蓄熱槽単槽１１内において、各水平低温側分岐配管１４の先端部及び各水平高温側分岐配管１５の先端部はそれぞれ各ヘッダ配管１２、１３より口径が小さい同じ口径で、かつ同じ長さの垂直分岐配管１６で連結され、前記垂直分岐配管１６の両端はそれぞれ上方及び下方へ突出して設けられる。前記各垂直分岐配管１６の上端及び下端にはそれぞれ側面部が帯状に開口する同一形状の開口部部材例えば円筒状のディストリビュータ１７、１８が設けられ、前記ディストリビュータ１７、１８はそれぞれ高温側開口部及び低温側開口部とされる。前記各垂直分岐配管１６は水平低温側分岐配管１４及び水平高温側分岐配管１５との各接続点間の中間部が閉鎖され、各垂直分岐配管１６内部で高温側の部分と低温側の部分に仕切られる。前記水平低温側分岐配管１４、水平高温側分岐配管１５、及び垂直分岐配管１６は略π字状配管を構成する。
【００１４】
蓄放熱時における各蓄熱槽単槽１１内の熱源水の流れは以下のようになる。すなわち、図１に示すように、蓄熱時において、実線矢印のように低温側ヘッダ配管１２には冷凍機からの送水が流入し、下部のディストリビュータ１８から各蓄熱槽単槽１１内の下部に冷水が供給され、高温側ヘッダ配管１３から冷凍機への還水は上部のディストリビュータ１７により各蓄熱槽単槽１１内の上部から取り出される。一方、放熱時には点線矢印のように空調機等の二次側機器からの例えば１５℃程度の還水が高温側ヘッダ配管１３に流入され、上部のディストリビュータ１７から各蓄熱槽単槽１１内の上部に供給され、下部のディストリビュータ１８により各蓄熱槽単槽１１内の下部から取り出された例えば６℃程度の水は低温側ヘッダ配管１２を介して空調機等の二次側機器に送水される。配管系はあらかじめ、それぞれのヘッダ配管の主管接続部から各分岐配管の末端部に至る管路のうち、配管抵抗値が最大となる管路の配管抵抗値ΔＰｍａｘと配管抵抗値が最小となる管路の配管抵抗値ΔＰｍｉｎの比ΔＰｍｉｎ／ΔＰｍａｘが所定値以上、好ましくは０．９５以上になるように設計・施工することにより、分岐配管先端のディストリビュータ１７、１８から水を蓄熱時はほとんど均一に供給し、放熱時はほとんど均一に取り出しを行い、温度成層をすべての蓄熱槽において均一に実現できる。
【００１５】
尚、前記水平高温側分岐配管１５の水平端は高温側ヘッダ配管分岐口に接続すると共に、前記水平低温側分岐配管１４の水平端は低温側ヘッダ配管分岐口に接続するようにしてもよい。
【００１６】
図２は本発明の実施形態例に係る蓄熱システムを示す構成説明図である。すなわち、１９は熱源水を循環させる主管、２０は例えば図１のように構成された蓄熱槽等を１組または複数組備えた多槽型冷水蓄熱槽、２１は冷水負荷、２２は熱交換器、２３は放熱ポンプ、２４は蓄熱ポンプ、２５は空冷スクリューチラー、２６は冷温水負荷、２７，２８は冷温水発生機、２９は二次側ポンプである。すなわち、放熱ポンプ２３により多槽型冷水蓄熱槽２０内の熱源水を主管１９、多槽型冷水蓄熱槽２０の低温側ヘッダ配管、高温側ヘッダ配管と、熱交換器２２を介して循環させ、前記熱交換器２２により多槽型冷水蓄熱槽２０側と冷水負荷２１側との熱交換を行う。この場合、図示しない蓄放熱制御装置により冷水負荷２１側の空調負荷に応じて放熱ポンプ２３を運転させて放熱制御を行う。この蓄熱システムの空調は冷温水発生機２７，２８により冷温水負荷２６の冷房及び暖房負荷を賄い、多槽型冷水蓄熱槽２０により冷水負荷２１の冷房負荷を賄っている。一方、多槽型冷水蓄熱槽２０の蓄熱は、深夜電力を用いて空冷スクリューチラー２５により冷水が製造され、図示しない蓄放熱制御装置により、冷水負荷２１側の空調負荷に応じて蓄熱ポンプ２４を運転させることによって行われる。
【００１７】
図３は本発明の実施形態例に係る多槽並列型蓄熱槽を示す平面図である。図において、３０はヘッダ配管、３１は分岐配管、３２はディストリビュータ、３３は地中梁である。
【００１８】
図４は本発明の実施形態例に係る多槽並列型蓄熱槽を示す断面図である。図において、４０はヘッダ配管、４１は分岐配管、４２はディストリビュータ、４３はオリフィス、４４は連通管、４５は水面である。すなわち、地下二重スラブ内の同じ大きさの蓄熱槽単槽４６が連結している直列蓄熱槽群が２列並列に配置された多槽並列型蓄熱槽を対象とした蓄熱槽において、各蓄熱槽単槽４６の高温側および低温側の開口部として側面部が帯状に開口する同一形状の開口部部材例えば円筒状のディストリビュータ４２を用い、各蓄熱槽単槽４６の高温側および低温側の分岐配管４１として一端が前記ディストリビュータ４２に接続され他端がヘッダ配管４０（またはヘッダ配管分岐口）に接続される同一形状のＬ字状配管を用いる。前記各分岐配管４１はヘッダ配管４０より口径が小さい同じ口径で、かつ同じ長さに分岐・配置されて設けられる。
【００１９】
図５は本発明の実施形態例に係る多槽並列型蓄熱槽における蓄放熱温度プロフィールを示す特性図である。すなわち、（ａ）〜（ｃ）は、図３におけるＡ槽、Ｂ槽、Ｃ槽を対象とした蓄熱時の槽内高さに応じた水温分布で、（ａ）は蓄熱開始２時間後、（ｂ）は蓄熱開始６時間後、（ｃ）は蓄熱開始１０時間後であり、Ａ槽、Ｂ槽、Ｃ槽いずれも同じような温度特性を示す。また、（ｄ）〜（ｆ）は放熱時の槽内高さに応じた水温分布で、（ｄ）は放熱開始２時間後、（ｅ）は放熱開始６時間後、（ｆ）は放熱開始１０時間後であり、Ａ槽、Ｂ槽、Ｃ槽いずれも同じような温度特性を示す。この結果から、蓄熱時は温度成層が形成されながら蓄熱されており、また放熱時は温度成層を保ちながら放熱されていることが分かる。
【００２０】
図６は本発明の他の実施形態例に係る多槽並列型蓄熱槽を示す断面図である。図において、５０はヘッダ配管、５１は分岐配管、５２はディストリビュータ、５３は通気管、５４は連通管、５５は水面である。すなわち、地下二重スラブ内の同じ大きさの蓄熱槽単槽５６が連結している直列蓄熱槽群が２列並列に配置された多槽並列型蓄熱槽を対象とした蓄熱槽において、隣接する蓄熱槽単槽５６間の水位差を調整する連通管５４として、ヘッダ配管５０を貫通させた貫通口およびヘッダ配管５０から分岐する分岐配管５１を貫通させた貫通口を用いる。通常、水位変動の抑制のため蓄熱槽下部のスラブに開口部を設けるが、この蓄熱槽では熱源水の往き還りヘッダ配管５０を蓄熱槽直列方向に貫通させており、この貫通部分を連通管５４としてヘッダ配管５０より大きいサイズの開口部を設け、この開口部を水位調整用として機能させる。また、分岐配管５１を蓄熱槽並列方向に貫通させており、この貫通部分を連通管５４として分岐配管５１より大きいサイズの開口部を設け、この開口部を水位調整用として機能させる。これにより、スラブ貫通を極力抑えることができる。
【００２１】
図７は本発明の実施形態例に係る分岐配管及びディストリビュータのユニット化を示す説明図である。図において、６０は高温側ヘッダ配管、６１は低温側ヘッダ配管、６２は高温側Ｌ字状分岐配管、６３は低温側Ｌ字状分岐配管、６４は高温側の円筒状部材よりなるディストリビュータ、６５は低温側の円筒状部材よりなるディストリビュータ、６６は高温側Ｌ字状分岐配管６２及び低温側Ｌ字状分岐配管６３の支持手段を兼ねた連結部材、６７は連結部材中間部の盲フランジ、６８は高温側のフランジ叉は継手、６９は低温側のフランジ叉は継手である。すなわち、地下二重スラブ内の同じ大きさの蓄熱槽単槽が連結している直列蓄熱槽群が２列並列に配置された多槽並列型蓄熱槽を対象とした蓄熱槽において、高温側Ｌ字状分岐配管６２、低温側Ｌ字状分岐配管６３、高温側の円筒状部材よりなるディストリビュータ６４、低温側の円筒状部材よりなるディストリビュータ６５、連結部材６６、盲フランジ６７、高温側のフランジ叉は継手６８、及び低温側のフランジ叉は継手６９がユニット化されている。前記高温側ヘッダ配管６０及び低温側ヘッダ配管６１から各蓄熱槽へ同じ口径でかつ同じ長さの高温側Ｌ字状分岐配管６２、低温側Ｌ字状分岐配管６３、また熱源水の入出力は全て同じ大きさのディストリビュータ６４、６５を用いるため、Ｌ字状分岐配管６２、６３、及びディストリビュータ６４、６５のサイズの決定により、これらの部分をユニット化できる。これにより、蓄熱槽の築造段階における配管施工作業を大幅に効率化することが可能となる。
【００２２】
図８は本発明の他の実施形態例に係る多槽並列型蓄熱槽を示す断面図である。図において、７０は高温側ヘッダ配管、７１は低温側ヘッダ配管、７２は高温側Ｌ字状分岐配管、７３は低温側Ｌ字状分岐配管、７４は高温側の円筒状部材よりなるディストリビュータ、７５は低温側の円筒状部材よりなるディストリビュータ、７６は連通管、７７は水面である。すなわち、地下二重スラブ内の同じ大きさの蓄熱槽単槽が連結している直列蓄熱槽群が２列並列に配置された多槽並列型蓄熱槽を対象とした蓄熱槽において、高温側ヘッダ配管７０及び低温側ヘッダ配管７１は並列方向に隣接した蓄熱槽単槽７８、７９にそれぞれ対応して設けられる。各蓄熱槽単槽７８、７９の高温側および低温側の開口部として側面部が帯状に開口する同一形状の円筒状部材例えばディストリビュータ７４、７５を用い、各蓄熱槽単槽７８、７９の高温側および低温側の分岐配管７２、７３として一端が前記ディストリビュータ７４、７５に接続され他端がヘッダ配管７０、７１（またはヘッダ配管分岐口）に接続される同一形状のＬ字状配管を用いる。前記各分岐配管７２、７３はヘッダ配管７０、７１より口径が小さい同じ口径で、かつ同じ長さに分岐・配置されて設けられる。
【００２３】
図９は本発明の他の実施形態例に係る多槽並列型蓄熱槽を示す断面図である。図において、８０は高温側ヘッダ配管、８１は低温側ヘッダ配管、８２は高温側コ字状分岐配管、８３は低温側コ字状分岐配管、８４は高温側ヘッダ分岐配管、８５は低温側ヘッダ分岐配管、８６は高温側の円筒状部材よりなるディストリビュータ、８７は低温側の円筒状部材よりなるディストリビュータ、８８は連通管、８９は水面である。すなわち、地下二重スラブ内の同じ大きさの蓄熱槽単槽が連結している直列蓄熱槽群が２列並列に配置された多槽並列型蓄熱槽を対象とした蓄熱槽において、高温側ヘッダ配管８０及び低温側ヘッダ配管８１は一方の列の直列蓄熱槽群に設けられる。各蓄熱槽単槽９０、９１の高温側および低温側の開口部として側面部が帯状に開口する同一形状の円筒状部材例えばディストリビュータ８６、８７を用い、各蓄熱槽単槽９０、９１の高温側および低温側の分岐配管として両端が前記ディストリビュータ８６、８７にそれぞれ対応して接続される同一形状のコ字状分岐配管８２、８３を用い、前記コ字状分岐配管８２、８３はヘッダ分岐配管８４、８５を介してヘッダ配管８０、８１（またはヘッダ配管分岐口）に接続される。前記各分岐配管８２、８３、８４、８５はヘッダ配管８０、８１より口径が小さい同じ口径で、かつ同じ長さに分岐・配置されて設けられる。
【００２４】
尚、蓄熱槽および蓄熱システムの実施態様は前述した実施形態例に限定されるものではなく、例えば、２列並列に配置された直列蓄熱槽群を複数組設け、各組の直列蓄熱槽群に対してヘッダ配管、分岐配管、および開口部を施工するようにしても良い。また、３列以上並列に配置された直列蓄熱槽群に対して、高温側ヘッダ配管と低温側ヘッダ配管を１本ずつだけ設け、各ヘッダ配管について、並列する槽数分の分岐配管および開口部を施工するようにしても良い。さらに、蓄熱槽単槽の大きさは全て同じである必要はなく、例えば地中梁のスパンが一部２スパン間隔となっている場合などにおいても、均一な蓄放熱が実施できる。
【００２５】
以上のように、本発明に係る多槽並列型蓄熱槽は、最適なヘッダ配管径および分岐配管径、かつ最適なディストリビュータの選定により、均一な蓄放熱を実施できる。本発明の採用により、地下二重スラブの複数の蓄熱槽において、単一の蓄熱槽と同様の蓄熱効率が得られるため、従来方式と比較して大容量で、かつ高効率の蓄熱槽運用が期待できる。また、バルブ制御を用いず配管のみで実施できるシステムであることから、蓄熱空調システムにおいてさまざまな建物での適用が可能である。
【００２６】
【発明の効果】
以上述べたように本発明によれば、並列式蓄熱槽において、蓄熱槽数に制限を設けることなく高効率の蓄放熱を行うことができ、かつ、配管類を集中的に配置することにより築造段階の配管施工作業の効率化を図ることができる蓄熱槽および蓄熱システムを提供することができる。
【図面の簡単な説明】
【図１】本発明の実施形態例を示す透視図である。
【図２】本発明の実施形態例に係る蓄熱システムを示す構成説明図である。
【図３】本発明の実施形態例に係る多槽並列型蓄熱槽を示す平面図である。
【図４】本発明の実施形態例に係る多槽並列型蓄熱槽を示す断面図である。
【図５】本発明の実施形態例に係る多槽並列型蓄熱槽における蓄放熱温度プロフィールを示す特性図である。
【図６】本発明の実施形態例に係る多槽並列型蓄熱槽を示す断面図である。
【図７】本発明の実施形態例に係る分岐配管及びディストリビュータのユニット化を示す説明図である。
【図８】本発明の実施形態例に係る多槽並列型蓄熱槽を示す断面図である。
【図９】本発明の実施形態例に係る多槽並列型蓄熱槽を示す断面図である。
【符号の説明】
１１  蓄熱槽単槽
１２  低温側ヘッダ配管
１３  高温側ヘッダ配管
１４  水平低温側分岐配管
１５  水平高温側分岐配管
１６  垂直分岐配管
１７、１８  ディストリビュータ
１９  主管
【図１】
0004588845.tif 000002
【図２】
0004588845.tif 000003
【図３】
0004588845.tif 000004
【図４】
0004588845.tif 000005
【図５】
0004588845.tif 000006
【図６】
0004588845.tif 000007
【図７】
0004588845.tif 000008
【図８】
0004588845.tif 000009
【図９】
0004588845.tif 000010